(57)【要約】  【課題】  ＬＥＤ２２と液晶パネル１とを近接配置した場合でも、液晶パネル１の表示領域において明るさを均一化し、輝度ムラを低減する。  【解決手段】  液晶パネル１と対向して導光体を配置するとともに、この導光体の一端または対向する両端にＬＥＤ２２を配置する。液晶パネル１は、透過領域８と反射領域９とを各画素（画素領域７）に有している。透過領域８は、ＬＥＤ２２から出射された光であって、上記導光体を介して入射する光の透過を制御する。反射領域９は、外部光の反射を制御する。画素領域７において、透過領域８と反射領域９とを除く残余の領域に、ＬＥＤ２２からの距離に応じた面積の遮光膜を形成し、光の透過および反射を阻止する無効領域３２を形成する。これにより、各透過領域８は、例えばＬＥＤ２２に対して最も離れた側から最も近い側に向かう方向にその面積が減少するように形成される。【選択図】      図１
2005049664.tif 000002
【特許請求の範囲】
【請求項１】
液晶パネルと対向して配置される導光体に光源からの光を側方から入射させ、当該光を上記導光体を介して液晶パネルに供給する液晶表示装置であって、
上記液晶パネルは、上記導光体を介して入射する光の透過を制御する透過領域を各画素に有しており、
各透過領域の面積は、当該透過領域と上記光源との距離に応じて設定されていることを特徴とする液晶表示装置。
【請求項２】
各透過領域は、上記光源に対して最も離れた側から最も近い側に向かう方向にその面積が減少するように形成されていることを特徴とする請求項１に記載の液晶表示装置。
【請求項３】
面積が減少する方向に隣接した各透過領域間の面積減少率は、一定であることを特徴とする請求項２に記載の液晶表示装置。
【請求項４】
面積が減少する方向に隣接した各透過領域間の面積減少率の差は、上記方向に順次０．５％以内であることを特徴とする請求項２に記載の液晶表示装置。
【請求項５】
各画素には、外部光を反射させる反射領域が同一面積で形成されていることを特徴とする請求項１ないし４のいずれかに記載の液晶表示装置。
【請求項６】
各画素において、透過領域と反射領域とを除く残余の領域は、光の透過および反射を阻止する無効領域であることを特徴とする請求項５に記載の液晶表示装置。
【請求項７】
上記無効領域は、遮光膜にて形成されていることを特徴とする請求項６に記載の液晶表示装置。
【発明の詳細な説明】
【技術分野】
【０００１】
本発明は、透過領域を有する液晶表示装置に関するものであり、特に、画素内に透過領域と反射領域とが存在する半透過型の液晶表示装置に関するものである。
【背景技術】
【０００２】
昨今、携帯電子機器の普及に伴い、どのような周囲光のもとでも良好な表示を実現する必要があることから、携帯電子機器に搭載される表示装置として、透過反射両用型（半透過型）の液晶表示装置がその主流となってきている。
【０００３】
例えば、特許文献１では、透過型表示と反射型表示とを１枚の基板で実現する液晶表示装置において、従来の液晶表示装置でブラックマスクを用いて遮光していた領域を画素電極の反射領域として用いるようにしている。これにより、画素電極の表示領域を有効に利用して、液晶表示装置の輝度を高めるようにしている。
【０００４】
また、近年、携帯電子機器に搭載される表示装置では、低消費電力、軽量薄型化の必要性から、バックライトの開発も同時に進んでおり、光源には例えばＬＥＤが使用されてきた。
【０００５】
ここで、図１１は、従来の半透過型の液晶表示装置の画素配列を模式的に示している。この液晶表示装置は、液晶パネル１０１と、バックライト１１１とを有している。液晶パネル１０１は、画像表示を行う複数の画素領域１０２をマトリクス状に有している。各画素領域１０２は、透明電極で駆動される透過領域１０３と、反射電極で表示される反射領域１０４とを有している。
【０００６】
一方、バックライト１１１は、光源としての少なくとも１個のＬＥＤ１１２と、図示しない面状の導光体とを有している。ＬＥＤ１１２は、導光体の一端または対向する両端に配置されている。導光体は、液晶パネル１０１と対向するように設けられており、ＬＥＤ１１２からの出射光を側方から受けて、主面（液晶パネル１０１との対向面）から液晶パネル１０１に向かって出射する。
【０００７】
上記の構成によれば、画素領域１０２として、透過領域１０３と反射領域１０４とを有しているので、周囲光が暗い場合には、バックライト１１１からの透過領域１０３を透過する光によって画像表示を行う一方、周囲光が明るい場合には、周囲光を反射領域１０４にて反射させた光によって画像表示を行うことができる。また、透過領域１０３を透過する光と、反射領域１０４にて反射した光とを両方用いて、明るい表示を実現することもできる。
【特許文献１】特開平１１−１０１９９２号公報（請求項１、段落〔００１４〕参照）
【発明の開示】
【発明が解決しようとする課題】
【０００８】
ところで、携帯電話等のモバイル機器用の液晶表示装置では、コンパクト性の要求から、厚さを薄くするだけでなく、表示領域（液晶パネル）の周囲領域も狭くする、いわゆる狭額縁化の必要性があった。それに加え、近年では、上記液晶表示装置に表示させる情報量が増大する傾向もある。このため、現在では、外形サイズに対する表示領域の比率を高くすることが必要となっている。
【０００９】
そこで、コンパクト性の要求から、プリズムシートなどの光学部材を新たに設置することが困難な状態では、表示領域に対して光源（例えばＬＥＤ）を接近して配置することで、外形サイズに対する表示領域の比率を相対的に高くもっていく手法を採らざるを得ない。
【００１０】
しかし、この場合は、輝度の均一化が難しくなり、光源の配置された付近のみが明るくなる輝度ムラが発生するという問題が生ずる。以下、この点について、より詳細に説明する。
【００１１】
図１１に示した液晶表示装置においては、ＬＥＤ１１２から離れた画素領域１０２であろうが、ＬＥＤ１１２に近い画素領域１０２であろうが、各画素領域１０２の透過領域１０３の大きさ（面積）は、ＬＥＤ１１２からの距離に関係なく一定である。ちなみに、各画素領域１０２の透過領域１０３と反射領域１０４との大きさ（面積）の比率も一定である。
【００１２】
一方、図１２（ａ）に示すように、液晶表示装置の液晶パネル１０１の表示領域１０１ａ（または導光体）に対して、ＬＥＤ１１２を離間して配置した場合は、ＬＥＤ１１２からの出射光の強度の高い領域１１２ａが導光体にかからない。このため、導光体を介して表示領域１０１ａ中の各透過領域１０３を透過する光の最大光量は、各透過領域１０３の大きさが一定であることから、どの画素領域１０２でもほぼ同じである。その結果、表示領域１０１ａにおいて輝度ムラはほとんど発生しない。
【００１３】
これに対して、図１２（ｂ）に示すように、狭額縁化のためにＬＥＤ１１２と表示領域１０１ａとの距離が取れず、表示領域１０１ａ（または導光体）に対して、ＬＥＤ１１２を近接して配置した場合は、ＬＥＤ１１２の出射光の輝度の高い領域１１２ａが導光体にかかる。このため、導光体を介して表示領域１０１ａ中の各透過領域１０３を透過する光の最大光量は、各透過領域１０３の大きさが一定であるために、ＬＥＤ１１２に近い画素領域１０２ほど高くなる。その結果、ＬＥＤ１１２に近い画素領域１０２では、表示が目玉状に明るくなり、輝度ムラが発生する。つまり、上記構成の液晶パネル１０１とＬＥＤ１１２とを近接配置すると、ＬＥＤ１１２からの出射光の強度ムラが、そのまま透過表示に反映されてしまい、輝度ムラが発生する。
【００１４】
本発明は、上記の問題点を解決するためになされたもので、その目的は、液晶パネルの画素構造に工夫をこらすことにより、光源と液晶パネルとを近接配置した場合でも、液晶パネルの表示領域において明るさを均一化することができ、輝度ムラを低減することができる液晶表示装置を提供することにある。
【課題を解決するための手段】
【００１５】
本発明の液晶表示装置は、液晶パネルと対向して配置される導光体に光源からの光を側方から入射させ、当該光を上記導光体を介して液晶パネルに供給する液晶表示装置であって、上記液晶パネルは、上記導光体を介して入射する光の透過を制御する透過領域を各画素に有しており、各透過領域の面積は、当該透過領域と上記光源との距離に応じて設定されている構成である。
【００１６】
上記の構成によれば、導光体の側方から入射した光源からの光は、導光体を介して液晶パネルの各透過領域に供給され、各透過領域にて光の透過が制御される。
【００１７】
このとき、各透過領域の面積は、透過領域と光源との距離に応じて設定されている。これにより、例えば、光源からの距離が遠い位置にある透過領域ほど、その面積は大きくなり、逆に光源からの距離が近い位置にある透過領域ほど、その面積が小さくなるような液晶パネルを実現することができる。
【００１８】
このように光源との距離に応じて各透過領域の面積を設定することにより、光源から出射される光に強度差があり、光源と液晶パネルとを近接配置した場合に、その強度差が液晶パネル上で輝度ムラとなって現れる場合でも、各透過領域の面積の違いによって各透過領域からの最大出射光量を各透過領域間でほぼ一定とすることができる。これにより、光源と液晶パネルとを近接配置した場合でも、その近接配置によって生ずる輝度ムラを低減することができ、液晶パネルの明るさを各画素ごとに均一化することができる。
【００１９】
特に、光源に対して最も離れた側から最も近い側に向かう方向に面積が減少するように、各透過領域の面積を設定すれば、上述した本発明の効果を確実に得ることができる。
【００２０】
ここで、面積が減少する方向に隣接した各透過領域間の面積減少率は、一定としてもよい。例えば、各透過領域を長方形と仮定した場合、その長方形の縦または横の長さを、上記方向に隣接した各透過領域間で一定の長さずつ縮めていけば、面積減少率を一定とすることができる。この場合は、面積の異なる各透過領域を形成するにあたって、複雑な計算、設計等が必要ないので、各透過領域を容易に形成することができる。
【００２１】
また、面積が減少する方向に隣接した各透過領域間の面積減少率は、それぞれ異なっていてもよいが、この場合は、面積減少率の差が、上記方向に順次０．５％以内であることが望ましい。面積減少率が異なり、その結果、各透過領域の最大出射光量に差が生じて輝度ムラが生じた場合でも、面積減少率の個々の差が０．５％以内であれば、その輝度ムラを人間の目では視認できない程度に抑えることができる。したがって、各透過領域の面積の設定に比較的自由度を持たせることができる。
【００２２】
また、各画素には、外部光を反射させる反射領域が同一面積で形成されていてもよい。この場合は、特に、透過領域を透過する光と、反射領域にて反射される光とを両方用いて画像表示を行う液晶表示装置にて、上述した本発明の効果を得ることができる。また、各画素間で反射領域が同一面積で形成されているので、各画素間で最大反射光量がばらつくのを回避することができ、反射表示にて輝度ムラが生じるのを回避することができる。
【００２３】
また、各画素において、透過領域と反射領域とを除く残余の領域は、光の透過および反射を阻止する無効領域であることが望ましい。ここで、上記残余の領域とは、任意の画素における透過領域の面積の減少分に相当する領域のことである。より詳しくは、上記残余の領域とは、任意の画素において、透過領域の面積が最大となる画素における当該透過領域の面積から、当該任意の画素の透過領域の面積を差し引いた部分に相当する領域のことである。
【００２４】
上記残余の領域が、光の透過のみならず、光の反射を阻止する無効領域であることにより、透過領域の面積の変化によって反射領域の面積が変化し、最大反射光量が各画素間でばらつくのを回避することができ、これによって反射表示に輝度ムラが発生するのを回避することができる。
【００２５】
また、無効領域を形成するにあたっては、最も簡易でフレキシビリティーにも優れていることから、上記無効領域は、遮光膜にて形成されることが望ましい。
【発明の効果】
【００２６】
本発明によれば、光源から出射される光に強度差があり、光源と液晶パネルとを近接配置した場合に、その強度差が液晶パネル上で輝度ムラとなって現れる場合でも、各透過領域の面積の違いによって各透過領域からの最大出射光量を各透過領域間でほぼ一定とすることができる。これにより、光源と液晶パネルとを近接配置した場合でも、その近接配置によって生ずる輝度ムラを低減することができ、液晶パネルの明るさを各画素ごとに均一化することができる。
【発明を実施するための最良の形態】
【００２７】
本発明の実施の一形態について、図面に基づいて説明すれば、以下の通りである。
【００２８】
なお、以下では、表示における最小単位を『画素』と称し、『画素』に対応する液晶表示装置の領域を『画素領域』と呼ぶことにする。
【００２９】
まず、本発明の液晶表示装置の構成について、図２ないし図４に基づいて説明する。なお、これらの図面では、液晶表示装置の基本的な構成のみを説明するために、後述する遮光膜３１（図６参照）については、その図示を省略している。
【００３０】
図２は、本発明の液晶表示装置の概略の構成を示す斜視図である。この液晶表示装置は、液晶パネル１と、バックライト２１とを有している。液晶パネル１は、アクティブマトリクス基板である下側基板２と、カラーフィルタ基板である上側基板３とで液晶層４を挟持してなっている。
【００３１】
下側基板２は、透明性絶縁性基板（例えばガラス基板）からなっている。ここで、図３は、下側基板２において、液晶パネル１の１画素に相当する部分の概略の構成を示す平面図である。下部基板２の液晶層４側には、複数のソースバスライン５と複数のゲートバスライン６とが公知の方法で直交して形成されている。そして、隣接するソースバスライン５とゲートバスライン６とで囲まれた部分が１画素（画素領域７）となっている。したがって、各画素領域７は、マトリクス状に配置されることになる。ソースバスライン５とゲートバスライン６との交差部には、各画素のＯＮ／ＯＦＦのスイッチングを行うスイッチング素子（例えばＴＦＴ）が配置されている。
【００３２】
各画素領域７は、透過領域８と、反射領域９とを有している。透過領域８は、後述するバックライト２１の導光体２３を介して入射する光の透過を制御する領域であり、最終的には、液晶パネル１を透過する光の領域と位置付けられる。反射領域９は、外部光の反射を制御する領域である。
【００３３】
図４は、液晶パネル１の１画素の構成を示す断面図である。各透過領域８には、ＩＴＯなどの透明導電膜材料からなる透明電極８ａが形成されており、各反射領域９には、例えばＡｌやＡｇからなる反射電極９ａが形成されている。これら透明電極８ａおよび反射電極９ａは、ドレイン電極（図示せず）と導通している。これにより、各画素領域７は、透過モードおよび反射モードのいずれか一方で表示を行うこともできるし、両方のモードで表示を行うこともできる。
【００３４】
各透過領域８は、下側基板２の領域のうち、液晶層４に電圧を印加するための電極としての機能と光を透過する機能とを備えた領域によって規定される。一方、各反射領域９は、下側基板２の領域のうち、液晶層４に電圧を印加するための電極としての機能と、光を反射する機能とを備えた領域によって規定される。
【００３５】
透過領域８および反射領域９の光学特性をマッチングさせるため、反射電極９ａの下には、例えば、アクリル樹脂などからなる絶縁層１０が形成されている。そして、反射領域９における液晶層４の厚さは、透過領域８における液晶層４の厚さより薄くなっている。絶縁層１０の表面は、凹凸状であっても平坦であってもよい。さらに、反射電極９ａの表面には、図示しない配向膜が形成され、配向処理が施されている。
【００３６】
上側基板３は、透明性絶縁性基板（例えばガラス基板）からなり、この上（液晶層４側）には、Ｒ（赤）・Ｇ（緑）・Ｂ（青）の３色からなるカラーフィルタ１１と、例えばＩＴＯからなる対向電極１２とが積層されている。
【００３７】
下側基板２および上側基板３における液晶層４とは反対側には、それぞれ位相差板１３・１４および偏光板１５・１６が形成されている。
【００３８】
図２に示すバックライト２１は、点状光源としての少なくとも１個のＬＥＤ２２と、面状の導光体２３とで構成されている。ＬＥＤ２２は、導光体２３の一端または対向する両端に配置されている。導光体２３は、液晶パネル１の下側基板２と対向配置されている。導光体２３の側面から入射したＬＥＤ２２の光は、導光体２３の主面（液晶パネル１との対向面）から出射して、液晶層４に入射することになる。
【００３９】
上記の構成によれば、ＬＥＤ２２からの出射光は、導光体２３に側方から入射し、導光体２３を介して液晶パネル１に供給される。液晶パネル１の各透過領域８では、画像データに応じて入射光の透過が制御され、これによって、透過光による表示が行われる。一方、液晶パネル１に入射する外部光（周囲光）は、画像データに応じて各反射領域９での反射が制御され、これによって反射光による表示が行われる。したがって、透過領域８を透過する光と、反射領域９にて反射した光とのうち、少なくとも一方の光により画像を表示することができる。
【００４０】
次に、本発明の最も特徴的な部分である画素領域７の構成について説明する。
【００４１】
図５は、複数の画素領域７を有する下側基板２の構成を示す平面図であり、図６は、複数の画素領域７を有する上側基板３の構成を示す平面図である。図５に示すように、下側基板２においては、透過電極８ａおよび反射電極９ａの大きさ（面積）を、各画素領域７間で一定としている。
【００４２】
一方、図６に示すように、上側基板３には、カラーフィルタ１１の赤、青、緑の各色層が、各画素領域７（透過領域８・反射領域９の両方）に形成されている。そして、本実施形態では、透過領域８とＬＥＤ２２との距離に応じた面積の透過領域８が形成されるように、上側基板３のカラーフィルタ１１上であって、下側基板２の各透過電極８ａと対向する領域内に、面積の異なる遮光膜３１（ブラックマトリクス）を、フォトマスクを用いて形成している。
【００４３】
上記の遮光膜３１は、アンチグレア処理したＣｒもしくはＣｒ酸化膜や、黒色顔料を分散した樹脂などで形成すればよい。なお、アンチグレア処理とは、細かく均質な凹凸を表面に作る処理のことを言う。この処理を行うことで、外光の反射を拡散させ、画面への外光の写り込みを緩和させることができる。
【００４４】
図１は、図５の下側基板２と図６の上側基板３とを液晶層４を介して貼り合わせてなる液晶パネル１を有する、本発明の液晶表示装置の概略の構成を模式的に示す平面図である。上側基板３に面積の異なる上記の遮光膜３１を形成することによって、液晶パネル１において反射領域９の面積を変化させずに、各透過領域８の面積だけを変化させることができる。より具体的には、ＬＥＤ２２に対して最も離れた側から最も近い側に向かう方向に面積が減少するとともに、ＬＥＤ２２に最も近い側に位置する透過領域８の面積が最小となるように、各透過領域８を形成することができる。
【００４５】
また、液晶パネル１の各画素領域７において、遮光膜３１の形成された領域は、光の透過および反射を阻止する無効領域３２となっている。
【００４６】
ここで、透過領域８の面積を変化させる際の最も簡易な方法について説明する。
【００４７】
図７（ａ）は、液晶パネル１の表示領域１ａ全体の平面図と、液晶パネル１の１画素（画素領域７）の平面図とを示している。例えば、１画素の縦方向の長さＡが、１２０μｍであり、横方向の長さＢが、４０μｍであるとする。この場合、１画素の開口率（（透過領域８の面積／画素領域７の面積）×１００）を５０％とすると、透過領域８の面積は、２４００μｍ2となる。
【００４８】
輝度ムラが発生している表示領域に存在する画素の透過領域８の面積を小さくするため、図７（ｂ）（ｃ）に示すように、ＬＥＤ２２に対して最も離れた側から最も近い側に向かう方向に、順に０．２５μｍずつ透過領域８の縦方向の長さが狭くなるように遮光膜３１（無効領域３２）を形成し、上記方向に隣接する画素間で透過領域８の面積を小さくしていく。
【００４９】
また、上記のように透過領域８の縦方向の長さを狭めるのではなく、図７（ｄ）に示すように、ＬＥＤ２２に対して最も離れた側から最も近い側に向かう方向に、透過領域８の横方向（上記方向とは垂直方向）の長さが狭くなるように遮光膜３１（無効領域３２）を形成してもよい。さらには、遮光膜３１（無効領域３２）の形成によって、透過領域８の縦方向の長さの縮小と横方向の長さの縮小とを組み合わせて行ってもよい。要は、ＬＥＤ２２の強度ムラにあわせて、遮光膜３１の大きさおよび透過領域８の形状を適宜調整すればよい。
【００５０】
このように、透過領域８の縦方向または横方向の長さを一定量ずつ狭めていくことで、ＬＥＤ２２に対して最も離れた側から最も近い側に向かう方向に並ぶ透過領域８間での面積減少率を一定とすることができる。なお、面積減少率とは、ここでは、上記方向に隣接する画素間で、ＬＥＤ２２により近い位置にある透過領域８の面積をａ、ＬＥＤ２２からより離れた位置にある透過領域８の面積をｂとしたときに、[（ｂ−ａ）／ｂ]×１００で表されるものとする。
【００５１】
これにより、面積の異なる各透過領域８を形成するにあたって、複雑な計算、設計等が必要ないので、各透過領域８を容易に形成することができる。例えば、上記の例では、遮光膜３１の形成にあたり、ＣＡＤを用いたフォトマスクの設計において、メッシュサイズを０．２５μｍに設定すれば、メッシュサイズと透過領域８の縮小幅とが一致して設計しやすくなる。
【００５２】
以上のように、本実施形態の液晶表示装置は、液晶パネル１と対向して配置される導光体２３にＬＥＤ２２（光源）からの光を側方から入射させ、当該光を導光体２３を介して液晶パネル１に供給する液晶表示装置であって、液晶パネル１は、導光体２３を介して入射する光の透過を制御する透過領域８を各画素に有しており、各透過領域８は、ＬＥＤ２２に対して最も離れた側から最も近い側に向かう方向にその面積が減少するように形成されている構成である。
【００５３】
これにより、ＬＥＤ２２から出射される光に強度差があり、ＬＥＤ２２と液晶パネル１とを近接配置した場合に、その強度差が液晶パネル１上で輝度ムラとなって現れる場合でも、各透過領域８の面積の違いによって各透過領域８からの最大出射光量を各透過領域８間でほぼ一定とすることができる。したがって、ＬＥＤ２２と液晶パネル１とを近接配置した場合でも、その近接配置によって生ずる輝度ムラを低減することができ、液晶パネル１の明るさを各画素ごとに均一化することができる。その結果、携帯電子機器に最適な、低消費電力で軽量薄型化な液晶表示装置を実現することができる。
【００５４】
なお、本実施形態では、面積を減少させる基準となる透過領域８を、液晶パネル１の全透過領域８のうちで、ＬＥＤ２２に対して最も離れた側に位置する透過領域８とした例について説明したが、これに限定されるわけではない。
【００５５】
例えば、ＬＥＤ２２の強度によっては、液晶パネル１における輝度ムラが、液晶パネル１の全面ではなく、図８に示すように、ＬＥＤ２２に近い画素領域３３においてのみ生じる場合がある。この場合は、液晶パネル１の輝度ムラが生じる画素領域３３のうちで、ＬＥＤ２２から最も離れた側に位置する透過領域８を、面積を減少させる基準とすればよい。この場合、輝度ムラの調整が不要な透過領域８の面積を変化させず、輝度ムラの調整が必要な透過領域８の面積だけを変化させるので、必要最小限の透過領域８の面積の調整により、ＬＥＤ２２の強度に応じた輝度ムラの調整ができる。
【００５６】
また、本実施形態では、ＬＥＤ２２に対して最も離れた側から最も近い側に向かう方向に、各透過領域８の面積を一定の割合（面積減少率）で減少させる場合について説明したが、本発明はこれに限定されるわけではない。例えば、ＬＥＤ２２から離れた位置にある透過領域８ほど、上記方向に隣接する透過領域８間で面積減少率を小さくし、ＬＥＤ２２に近い位置にある透過領域８ほど、上記方向に隣接する透過領域８間で面積減少率を大きくするようにしてもよい。つまり、透過領域８とＬＥＤ２２との距離に応じて、面積減少率を変化させるようにしてもよい。
【００５７】
ここで、一般に、例えば３００ｃｄ／ｍ2の明るさでは、隣接する領域間で輝度が０．５％より大きく変化(増加または減少)すれば、その輝度変化を人間の目で感じることができると言われている。したがって、ＬＥＤ２２に対して最も離れた側から最も近い側に向かう方向に隣接する各透過領域８の面積減少率の差が、上記方向に順次０．５％以内（例えば０．３５％程度）となるように、透過領域８とＬＥＤ２２との距離に応じて各透過領域８の面積を変化させれば、人間の目に輝度ムラを視認させることなく、滑らかな輝度均一化を図ることができる。また、この場合、各透過領域８の面積の設定に比較的自由度を持たせることができるとも言える。
【００５８】
以上のことをまとめると、以下のようになる。
【００５９】
図９は、光源（ＬＥＤ２２）に対する各透過領域８の位置と、透過領域８の面積との関係を示している。ＬＥＤ２２に対して最も離れた側から最も近い側に向かう方向に隣接する各透過領域８の面積は、上記方向に隣接する全透過領域８に対して実線Ａ１のように直線的に（面積減少率一定で）変化させてもよいし、実線Ａ２のように曲線的に（面積減少率可変で）変化させてもよい。
【００６０】
また、各透過領域８の面積は、液晶パネル１にて輝度ムラが生じる画素領域３３（図８参照）のうち、ＬＥＤ２２に対して最も離れた側から最も近い側に向かう方向に隣接する各透過領域８について、実線Ａ３のように直線的に変化させてもよいし、実線Ａ４のように曲線的に変化させてもよい。
【００６１】
したがって、以上のことから、ＬＥＤ２２と液晶パネル１とを近接配置したことによって生ずる液晶パネル１の輝度ムラを無くすためには、各透過領域８の面積が、当該透過領域８とＬＥＤ２２との距離に応じて設定されていればよいと言うことができる。特に、各透過領域８から出射される光の最大光量が各透過領域８間で一定となるように、上記距離に応じて各透過領域８の面積が設定されていれば、全画素領域７にわたって輝度ムラを確実に無くすことができる。
【００６２】
また、本発明の液晶表示装置において、液晶パネル１の各画素（画素領域７)には、外部光を反射させる反射領域９が形成されている。これにより、特に本実施形態のように透過領域８を透過する光と、反射領域９にて反射される光とを両方用いて画像表示を行う液晶表示装置にて、ＬＥＤ２２の近接配置により生じる輝度ムラを無くすことができるという本発明の効果を効果的に得ることができる。
【００６３】
また、各画素領域７間で反射領域９が同一面積で形成されているので、各画素領域７間で最大反射光量がばらつくのを回避することができ、反射表示にて輝度ムラが生じるのを回避することができる。
【００６４】
なお、画素領域７に透過領域８のみを有し、反射領域９を有さない透過型の液晶表示装置についても、開口率の向上よりも輝度ムラの低減を重視する場合には、本発明のように透過領域８の面積を変化させる構成を適用することは勿論可能である。
【００６５】
また、本実施形態では、カラーフィルタ１１上に遮光膜３１を形成することにより、光の透過および反射を阻止する無効領域３２を形成している。つまり、この無効領域３２は、各画素（画素領域７）において、透過領域８と反射領域９とを除く残余の領域に相当し、透過表示および反射表示の両方に寄与しない領域である。
【００６６】
透過領域８の面積を減少させた分の領域を反射領域９に変更すると、反射領域９の面積が、画素領域７ごとで異なる。そうすると、周囲光の状態によっては、反射表示に輝度ムラが発生してしまう場合がある。しかし、本実施形態のように、各画素領域７における透過領域８の面積減少分に相当する領域を無効領域３２とすることにより、透過領域８の面積を減少させても、反射領域９の面積を一定に保つことができる。これにより、最大反射光量が各画素領域７間でばらつくのを回避することができ、反射表示に輝度ムラが発生するのを回避することができる。
【００６７】
上記の無効領域３２としては、本実施形態のように、上側基板３におけるカラーフィルタ１１上で無効領域３２に対応する場所に遮光膜３１を形成する方法が、最も簡易でフレキシビリティーに優れているが、光の透過および反射を阻止することができるものであれば、遮光膜３１以外の層で形成されてもよい。
【００６８】
以上では、光源としてＬＥＤ２２を用いた例について説明したが、図１０に示すように、線状光源４１を用いて液晶表示装置を構成した場合でも、本発明を適用することは可能である。つまり、線状光源４１付近に輝度ムラを生じさせる画素領域４２が存在する場合には、本実施形態と同様の方法で透過領域８の面積を変化させることにより、画素領域４２における輝度ムラを低減することが可能である。
【産業上の利用可能性】
【００６９】
本発明は、例えば、小型でありながら大画面化（狭額縁化）を図る必要のある携帯電話等の携帯電子機器に利用可能である。
【図面の簡単な説明】
【００７０】
【図１】本発明の実施の一形態に係る液晶表示装置の概略の構成を模式的に示す平面図である。
【図２】上記液晶表示装置の概略の構成を示す斜視図である。
【図３】上記液晶表示装置の液晶パネルの下側基板において、液晶パネルの１画素に相当する部分の概略の構成を示す平面図である。
【図４】上記液晶パネルの１画素の構成を示す断面図である。
【図５】上記液晶パネルにおいて、複数の画素領域を有する下側基板の構成を示す平面図である。
【図６】上記液晶パネルにおいて、複数の画素領域を有する上側基板の構成を示す平面図である。
【図７】（ａ）は、上記液晶パネルの表示領域全体の平面図と、上記液晶パネルの１画素（画素領域）の平面図である。（ｂ）は、遮光膜の形成によって透過領域の面積を小さくした１画素（画素領域）の平面図である。（ｃ）は、透過領域の面積の異なる画素領域を有する表示領域の平面図である。（ｄ）は、遮光膜の形成によって透過領域の面積を同図（ｂ）とは異なる手法で小さくした１画素（画素領域）の平面図である。
【図８】光源に近い画素領域においてのみ輝度ムラが生じている状態を示す液晶パネルの平面図である。
【図９】光源に対する各透過領域の位置と、透過領域８の面積との関係を示す説明図である。
【図１０】光源として線状光源を用いた場合に、その線状光源に近い画素領域においてのみ輝度ムラが生じている状態を示す液晶パネルの平面図である。
【図１１】従来の半透過型の液晶表示装置の概略の構成を示すとともに、その画素配列を模式的に示す平面図である。
【図１２】（ａ）は、上記液晶表示装置の液晶パネルの表示領域に対して、光源を離間して配置した場合の当該液晶表示装置の概略の構成を模式的に示す平面図である。（ｂ）は、上記液晶表示装置の液晶パネルの表示領域に対して、光源を近接して配置した場合の当該液晶表示装置の概略の構成を模式的に示す平面図である。
【符号の説明】
【００７１】
１    液晶パネル
８    透過領域
９    反射領域
１３    電極（金属担持体）
２２    ＬＥＤ（光源）
２３    導光体
３１    遮光膜
３２    無効領域
【図１】
2005049664.tif 000003
【図２】
2005049664.tif 000004
【図３】
2005049664.tif 000005
【図４】
2005049664.tif 000006
【図５】
2005049664.tif 000007
【図６】
2005049664.tif 000008
【図７】
2005049664.tif 000009
【図８】
2005049664.tif 000010
【図９】
2005049664.tif 000011
【図１０】
2005049664.tif 000012
【図１１】
2005049664.tif 000013
【図１２】
2005049664.tif 000014